【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
複数のフォーマットから１つのフォーマットを選択する際に適用すべき第１のしきい値を決定することと、前記フォーマットは、制御情報の第１の送信のために前記ＵＥによって使用され、ここで、前記フォーマットを選択する際に適用すべき前記第１のしきい値は、ペイロードサイズにおけるビットの範囲のセットを含む値の第１のセットから決定される、
制御情報の前記第１の送信のための第１のペイロードの第１のサイズを決定することと、
ペイロードサイズにおけるビットの範囲を有する前記第１のしきい値および前記第１のサイズに基づいて、制御情報の前記第１の送信のための第１のフォーマットを選択することと、
前記ＵＥによって、前記第１のフォーマットにしたがってアップリンクキャリア上で前記第１の送信を送ることと、
を備える、方法。
【請求項２】
前記フォーマットは、物理アップリンク制御チャネル（ＰＵＣＣＨ）フォーマットを備える、または、
前記第１のしきい値を決定することは、前記ＵＥのために構成されたしきい値のセットから前記第１のしきい値を決定することを備える、請求項１に記載の方法。
【請求項３】
前記第１のしきい値を決定することは、基地局から前記第１のしきい値を受信することを備える、請求項１に記載の方法。
【請求項４】
制御情報の第２の送信のための第２のペイロードの第２のサイズを決定することと、
前記第２のペイロードの前記第２のサイズおよび前記第１のしきい値に基づいて、前記第２の送信のための第２のフォーマットを選択することと、
をさらに備える、請求項１に記載の方法。
【請求項５】
第２のフォーマットを選択する際に適用すべき第２のしきい値を決定することと、前記第２のフォーマットは、制御情報の第２の送信のために使用され、ここで、前記第２のしきい値は、値の前記第１のセットとは異なる値の第２のセットから決定される、
前記第２の送信のための第２のペイロードの第２のサイズを決定することと、
制御情報の前記第２の送信のための前記第２のサイズおよび前記第２のしきい値に基づいて前記第２のフォーマットを選択することと、
をさらに備える、請求項１に記載の方法。
【請求項６】
前記第１のしきい値は、一連のフォーマットの各フォーマットが使用されるときを示すしきい値のセットを備える、請求項１に記載の方法。
【請求項７】
前記制御情報は、ＨＡＲＱフィードバック、チャネル状況情報フィードバック、またはスケジューリングリクエストのうちの少なくとも１つを備える、請求項１に記載の方法。
【請求項８】
前記複数のフォーマットの各々は、それぞれの最大ペイロードサイズまたはそれぞれの多重化能力のうちの少なくとも１つを有する、請求項１に記載の方法。
【請求項９】
前記複数のフォーマットのうちの少なくとも１つのフォーマットは、時間ドメイン拡散を使用する、請求項１に記載の方法。
【請求項１０】
前記第１のしきい値は、複数のセルグループのうちの第１のセルグループに関連付けられる、請求項１に記載の方法。
【請求項１１】
基地局におけるワイヤレス通信の方法であって、
複数のフォーマットから１つのフォーマットを選択する際にユーザ機器（ＵＥ）によって使用されるペイロードサイズにおけるビットの範囲を有する第１のしきい値を決定することと、前記フォーマットは、前記ＵＥによる制御情報の第１の送信のために使用される、
前記ＵＥから前記第１の送信を受信することと、前記第１の送信は、ペイロードサイズにおけるビットの前記範囲を有する前記第１のしきい値にしたがって前記ＵＥによって選択された前記フォーマットを使用する、
を備える、方法。
【請求項１２】
前記ＵＥに前記第１のしきい値を送ることをさらに備える、請求項１１に記載の方法。
【請求項１３】
前記第１のしきい値は、ＲＲＣ構成メッセージを介して前記ＵＥに送られる、請求項１１に記載の方法。
【請求項１４】
ワイヤレス通信のための装置であって、前記装置は、ユーザ機器（ＵＥ）であり、
複数のフォーマットから１つのフォーマットを選択する際に適用すべき第１のしきい値を決定するための手段と、前記フォーマットは、第１の送信のために使用され、ここで、前記フォーマットの前記選択の際に適用すべき前記第１のしきい値は、ペイロードサイズにおけるビットの範囲のセットを含む値の第１のセットから決定される、
制御情報の前記第１の送信のための第１のペイロードの第１のサイズを決定するための手段と、
ペイロードサイズにおけるビットの範囲を有する前記第１のしきい値および前記第１のサイズに基づいて、制御情報の前記第１の送信のための第１のフォーマットを選択するための手段と、
基地局に、前記第１のフォーマットにしたがってアップリンクキャリア上で前記第１の送信を送るための手段と、
を備える、装置。
【請求項１５】
ワイヤレス通信のための装置であって、
複数のフォーマットから１つのフォーマットを選択する際にユーザ機器（ＵＥ）によって使用されるペイロードサイズにおけるビットの範囲を有する第１のしきい値を決定するための手段と、前記フォーマットは、前記ＵＥによる制御情報の第１の送信のために使用される、
前記ＵＥから前記第１の送信を受信するための手段と、前記第１の送信は、ペイロードサイズにおけるビットの前記範囲を有する前記第１のしきい値を使用する、
を備える、装置。
【手続補正２】
【補正対象書類名】明細書
【補正対象項目名】０１５６
【補正方法】変更
【補正の内容】
【０１５６】
[00184]  先の説明は、いずれの当業者も本明細書で説明された様々な態様を実施することを可能とするように提供されている。これらの態様への様々な変更は当業者には容易に明らかになり、本明細書で定義されている包括的な本質は他の態様に適用され得る。したがって、請求項は、本明細書で図示されている態様に限定されるようには意図されていないが、請求項の記載と矛盾しない最大範囲を付与されることとし、ここにおいて、単数の要素への言及は、そのように特に述べられない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」と本明細書で説明されているいずれの態様も、必ずしも、他の態様よりも好まれる、または有利であると解釈されないこととする。違った形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、およびＣの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または複数のＣを含み得る。特に、「Ａ、Ｂ、またはＣのうちの少なくとも１つ」、「Ａ、Ｂ、またはＣの１つまたは複数」、「Ａ、Ｂ、およびＣのうちの少なくとも１つ」、「Ａ、Ｂ、およびＣの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、あらゆるこうした組合せが、Ａ、Ｂ、またはＣの１または複数のメンバを含み得る。当業者には既知である、もしくは後に既知となる本開示全体を通じて説明されている様々な態様の要素に対するすべての構造的および機能的な均等物が、参照によって本明細書に明示的に組み込まれ、請求項によって包含されるように意図されている。さらに、本明細書で開示されているいずれも、こうした開示が請求項にはっきりと記載されているかどうかに関わらず、公衆に献呈されるようには意図されていない。「モジュール」、「メカニズム」、「要素」、「デバイス」等という言葉は、「手段」という言葉に対する代替でないことがある。このように、どの請求項の要素も、当該要素が「のための手段」というフレーズを使用して明示的に記載されていない限り、ミーンズプラスファンクションとして解釈されないこととする。
以下に本願の出願当初の特許請求の範囲に記載された発明を付記する。
［Ｃ１］
ユーザ機器（ＵＥ）におけるワイヤレス通信の方法であって、
複数のフォーマットから１つのフォーマットを選択する際に適用すべき第１のしきい値を決定することと、前記フォーマットは、制御情報の第１の送信のために前記ＵＥによって使用され、ここで、前記フォーマットを選択する際に適用すべき前記第１のしきい値は、値の第１のセットから決定される、
制御情報の前記第１の送信のための第１のペイロードの第１のサイズを決定することと、
前記第１のサイズおよび前記第１のしきい値に基づいて、制御情報の前記第１の送信のための第１のフォーマットを選択することと、
前記ＵＥによって、前記第１のフォーマットにしたがってアップリンクキャリア上で前記第１の送信を送ることと、
を備える方法。
［Ｃ２］
前記フォーマットは、物理アップリンク制御チャネル（ＰＵＣＣＨ）フォーマットを備える、Ｃ１に記載の方法。
［Ｃ３］
前記第１のしきい値を決定することは、前記ＵＥのために構成されたしきい値のセットから前記第１のしきい値を決定することを備える、Ｃ１の記載の方法。
［Ｃ４］
前記第１のしきい値を決定することは、基地局から前記第１のしきい値を受信することを備える、Ｃ１に記載の方法。
［Ｃ５］
前記第１のしきい値を受信することは、無線リソース制御（ＲＲＣ）構成メッセージを受信することを備える、Ｃ４に記載の方法。
［Ｃ６］
制御情報の第２の送信のための第２のペイロードの第２のサイズを決定することと、
前記第２のペイロードの前記第２のサイズおよび前記第１のしきい値に基づいて、前記第２の送信のための第２のフォーマットを選択することと、
をさらに備える、Ｃ１に記載の方法。
［Ｃ７］
第２のフォーマットを選択する際に適用すべき第２のしきい値を決定することと、前記第２のフォーマットは、制御情報の第２の送信のために使用され、ここで、前記第２のしきい値は、値の前記第１のセットとは異なる値の第２のセットから決定される、
制前記第２の送信のための第２のペイロードの第２のサイズを決定することと、
制御情報の前記第２の送信のための前記第２のサイズおよび前記第２のしきい値に基づいて前記第２のフォーマットを選択することと、
をさらに備える、Ｃ１に記載の方法。
［Ｃ８］
前記第１のしきい値は、一連のフォーマットの各フォーマットが使用されるときを示すしきい値のセットを備える、Ｃ１に記載の方法。
［Ｃ９］
前記制御情報は、ＨＡＲＱフィードバック、チャネル状況情報フィードバック、またはスケジューリングリクエストのうちの少なくとも１つを備える、Ｃ１に記載の方法。
［Ｃ１０］
前記複数のフォーマットの各々は、それぞれの最大ペイロードサイズまたはそれぞれの多重化能力のうちの少なくとも１つを有する、Ｃ１に記載の方法。
［Ｃ１１］
前記複数のフォーマットのうちの少なくとも１つのフォーマットは、時間ドメイン拡散を使用する、Ｃ１に記載の方法。
［Ｃ１２］
前記第１のしきい値は、複数のセルグループのうちの第１のセルグループに関連付けられる、Ｃ１に記載の方法。
［Ｃ１３］
第２のしきい値は、第２のセルグループにおける送信のために決定され、ここで、前記第２のしきい値は、前記第１のセルグループについての前記第１のしきい値とは異なる、Ｃ１２に記載の方法。
［Ｃ１４］
前記複数のセルグループは、前記ＵＥのために構成されたキャリアアグリゲーションオペレーションの一部である、Ｃ１３に記載の方法。
［Ｃ１５］
前記複数のセルグループは、前記ＵＥのために構成されたデュアル接続オペレーションの一部である、Ｃ１２に記載の方法。
［Ｃ１６］
基地局におけるワイヤレス通信の方法であって、
複数のフォーマットから１つのフォーマットを選択する際にユーザ機器（ＵＥ）によって使用される第１のしきい値を決定することと、前記フォーマットは、前記ＵＥによる制御情報の第１の送信のために使用される、
前記ＵＥから前記第１の送信を受信することと、前記第１の送信は、前記しきい値にしたがって前記ＵＥによって選択された前記フォーマットを使用する、
を備える方法。
［Ｃ１７］
前記フォーマットは、物理アップリンク制御チャネル（ＰＵＣＣＨ）フォーマットを備える、Ｃ１６に記載の方法。
［Ｃ１８］
前記ＵＥに前記第１のしきい値を送ることをさらに備える、Ｃ１６に記載の方法。
［Ｃ１９］
前記ＵＥに前記第１のしきい値を送ることは、前記ＵＥに第１のしきい値を送信することを備える、Ｃ１８に記載の方法。
［Ｃ２０］
前記第１のしきい値は、前記ＵＥにおいて予め構成される、Ｃ１８に記載の方法。
［Ｃ２１］
前記第１のしきい値は、ＲＲＣ構成メッセージを介して前記ＵＥに送られる、Ｃ１６に記載の方法。
［Ｃ２２］
ワイヤレス通信のための装置であって、
メモリと、
前記メモリに結合された少なくとも１つのプロセッサと、を備え、前記少なくとも１つのプロセッサは、
複数のフォーマットから１つのフォーマットを選択する際に適用すべき第１のしきい値を決定することと、前記フォーマットは、第１の送信のために使用され、ここで、前記フォーマットの前記選択の際に適用すべき前記第１のしきい値は、値の第１のセットから決定される、
制御情報の前記第１の送信のための第１のペイロードの第１のサイズを決定することと、
前記第１のサイズおよび前記第１のしきい値に基づいて、制御情報の前記第１の送信のための第１のフォーマットを選択することと、
前記ＵＥによって、前記第１のフォーマットにしたがってアップリンクキャリア上で前記第１の送信を送ることと、
を行うように構成される、装置。
［Ｃ２３］
前記フォーマットは、物理アップリンク制御チャネル（ＰＵＣＣＨ）フォーマットを備える、Ｃ２２に記載の装置。
［Ｃ２４］
前記第１のしきい値を決定することは、前記ＵＥのために構成されたしきい値のセットから前記第１のしきい値を決定することを備える、Ｃ２２の記載の装置。
［Ｃ２５］
前記第１のしきい値を決定することは、基地局から前記第１のしきい値を受信することを備える、Ｃ２２に記載の装置。
［Ｃ２６］
ワイヤレス通信のための装置であって、
メモリと、
前記メモリに結合された少なくとも１つのプロセッサと、を備え、前記少なくとも１つのプロセッサは、
複数のフォーマットから１つのフォーマットを選択する際にユーザ機器（ＵＥ）によって使用される第１のしきい値を決定することと、前記フォーマットは、前記ＵＥによる制御情報の第１の送信のために使用される、
前記ＵＥから前記第１の送信を受信することと、前記第１の送信は、前記しきい値を使用する、
を行うように構成される、装置。
［Ｃ２７］
前記フォーマットは、物理アップリンク制御チャネル（ＰＵＣＣＨ）フォーマットを備える、Ｃ２６に記載の装置。
［Ｃ２８］
前記プロセッサは、前記ＵＥに前記第１のしきい値を送るようにさらに構成される、Ｃ２６に記載の装置。
［Ｃ２９］
前記ＵＥに前記第１のしきい値を送ることは、前記ＵＥに第１のしきい値を送信することを備える、Ｃ２８に記載の装置。